(57)【特許請求の範囲】
【請求項１】
下部に釣り針を取付けた心棒の外周に中空円筒形状の心材を設け、さらに、この心材の外周に擬餌針本体を設けた擬餌針において、前記心材が蓄光材を混入した合成樹脂で形成され、前記蓄光材の量が合成樹脂の量に対して５〜３０％の割合で混入されているものであり、
前記合成樹脂は透明であり、前記蓄光材は外部からの光である外部エネルギーを吸収し光エネルギーとして放出する性質の物質で吸収および発光を繰り返し可能であると共に、粒であるもので、前記蓄光材は青系色または緑系色の発光材で平均粒径は、１５μｍ、２０μｍ、または４０μｍであり、
前記擬餌針本体が中空紡錘形状からなると共に中央より上下部分の外形断面が多角形で、しかも、着色された半透明からなり、前記心材から発光された光は、前記擬餌針本体へ向けて照射され、一部は擬餌針本体を透過すると共に、一部は擬餌針本体で反射されながら随時透過し、
さらに、前記擬餌針本体の色を変えることが可能なように、リングに、中央部で折り曲げられたワイヤ（１３）の両端に形成されたフック部（１３Ａ、１３Ｂ）を引っかけた後、このフック部（１３Ａ、１３Ｂ）はリングがはずれないように折り曲げられ、ワイヤ（１３）の上方からワッシャが挿入された後、中実形状の合成樹脂からなる釣り針用心材が一体化され、この釣り針用心材に２個の釣り針が挿入され、ワイヤ（１３）の上部に折り曲げられて形成された穴（１９）に中央部で折り曲げられたワイヤ（２１）が取り付けられ、このワイヤ（２１）の両端にはフック部（２１Ａ、２１Ｂ）が形成され、ワイヤ（２１）の上方から座を備えたゴムからなる擬餌針本体用支持部材が挿入された後、ワイヤ（２１）に前記心材が挿入されると共にこの心材に上方から擬餌針本体が挿入され、前記ワイヤ（２１）の上部に形成されたフック部（２１Ａ、２１Ｂ）に枝糸用リングが取付けられ、この枝糸用リングに枝釣り糸の一端が結び付けられて擬餌針が構成されていることを特徴とする擬餌針。
【発明の詳細な説明】
【０００１】
【発明の属する技術分野】
この発明は、特にイカなどの光を好む魚類を釣るための擬餌針に関する。
【０００２】
【従来の技術】
従来、イカなどの光を好む魚類を釣る場合、発光する擬餌針を使用する場合が多い。しかも、発光する擬餌針の多くは、最近になって、例えば実用新案登録番号第３０２６４９０号、特開平１０−８４８１８号公報などで知られているように、擬餌針本体が蓄光材を混入した合成樹脂で形成されているが使用されてきている。
【０００３】
【発明が解決しようとする課題】
ところで、上述した従来の蓄光材を混入した合成樹脂で形成されている擬餌針本体を使用した擬餌針では、擬餌針本体の大きさが心材に比べてひとまわり大きから合成樹脂の量に対する蓄光材を混入する量の割合が同じとしても、蓄光材が多く使用されるため、材料費が高く付き採算が取れないという問題がある。また、擬餌針本体は蓄光材が混入していると、脆くなるため、イカを釣ったときに釣り糸をローラに巻き取るときに擬餌針本体がローラにぶっかったりして擬餌針本体の外面に衝撃を受けると、傷が付いたり、あるいは壊れてしまうという問題がある。
【０００４】
この発明は上述の課題を解決するためになされたもので、その目的は、材料費が高く付かず採算が取れ、しかも、擬餌針本体の外面に衝撃を受けても損傷を受けずに保護され、かつ、釣るときの光は従来と同等以上の充分な光量を有した擬餌針を提供することにある。
【０００５】
【課題を解決するための手段】
上記目的を達成するために請求項１によるこの発明の擬餌針は、下部に釣り針を取付けた心棒の外周に中空円筒形状の心材を設け、さらに、この心材の外周に擬餌針本体を設けた擬餌針において、前記心材が蓄光材を混入した合成樹脂で形成され、前記蓄光材の量が合成樹脂の量に対して５〜３０％の割合で混入されているものであり、
前記合成樹脂は透明であり、前記蓄光材は外部からの光である外部エネルギーを吸収し光エネルギーとして放出する性質の物質で吸収および発光を繰り返し可能であると共に、粒であるもので、前記蓄光材は青系色または緑系色の発光材で平均粒径は、１５μｍ、２０μｍ、または４０μｍであり、
前記擬餌針本体が中空紡錘形状からなると共に中央より上下部分の外形断面が多角形で、しかも、着色された半透明からなり、前記心材から発光された光は、前記擬餌針本体へ向けて照射され、一部は擬餌針本体を透過すると共に、一部は擬餌針本体で反射されながら随時透過し、
さらに、前記擬餌針本体の色を変えることが可能なように、リングに、中央部で折り曲げられたワイヤ（１３）の両端に形成されたフック部（１３Ａ、１３Ｂ）を引っかけた後、このフック部（１３Ａ、１３Ｂ）はリングがはずれないように折り曲げられ、ワイヤ（１３）の上方からワッシャが挿入された後、中実形状の合成樹脂からなる釣り針用心材が一体化され、この釣り針用心材に２個の釣り針が挿入され、ワイヤ（１３）の上部に折り曲げられて形成された穴（１９）に中央部で折り曲げられたワイヤ（２１）が取り付けられ、このワイヤ（２１）の両端にはフック部（２１Ａ、２１Ｂ）が形成され、ワイヤ（２１）の上方から座を備えたゴムからなる擬餌針本体用支持部材が挿入された後、ワイヤ（２１）に前記心材が挿入されると共にこの心材に上方から擬餌針本体が挿入され、前記ワイヤ（２１）の上部に形成されたフック部（２１Ａ、２１Ｂ）に枝糸用リングが取付けられ、この枝糸用リングに枝釣り糸の一端が結び付けられて擬餌針が構成されている。
【０００６】
したがって、前記心材が蓄光材を混入した合成樹脂で形成されているから、材料費が高く付かず採算が取れ、しかも、擬餌針本体の外面に衝撃を受けても損傷を受けずに保護され、かつ、釣るときの光は従来と同等以上の充分な光量が照射される。また、前記蓄光材の量が合成樹脂の量に対して５〜３０％の割合で混入されているから、より一層材料費が高く付かず採算が取れ、しかも、釣るときの光は従来と同等以上の充分な光量がより一層照射される。
【００１０】
したがって、前記擬餌針本体が中空紡錘形状からなると共に中央より上下部分の外形断面が多角形で、しかも、着色された半透明からなっているから、蓄光材から照射された光は、擬餌針本体の多角形における内面から乱反射されるので、擬餌針本体で、立体的に発光し、全体的に明るくなる。
【００１１】
【発明の実施の形態】
以下、この発明の実施の形態について図面を参照して詳細に説明する。
【００１２】
図１および図２を参照するに、擬餌針１は下部に例えば上下方向に２個の釣り針３を取付けた心棒５の外周に中空円筒形状の心材７が設けられている。さらに、この心材７の外周には擬餌針本体９が設けられている。より詳細には、リング１１には中央部で折り曲げられたワイヤ１３の両端に形成されたフック部１３Ａ、１３Ｂに引っかけられた後、このフック部１３Ａ、１３Ｂは前記リング１１がはずれないように折り曲げられる。そして、前記ワイヤ１３の上方からワッシャ１５が挿入された後、前記ワイヤ１３を上下方向に挟み込むように中実形状の合成樹脂からなる釣り針用心材１７が一体化される。この釣り針用心材１７に前記２個の傘形状からなる釣り針３が挿入される。
【００１３】
前記ワイヤ１３の上部に折り曲げられて形成された穴１９に前記心棒５が取付けられる。すなわち、前記心棒５は中央部で折り曲げられたワイヤ２１からなり、このワイヤ２１の両端にはフック部２１Ａ、２１Ｂが形成されていて、前記穴１９にワイヤ２１が引っかけられる。そして、前記ワイヤ２１の上方から座２３を備えたゴムからなる擬餌針本体用支持部材２５が挿入された後、前記ワイヤ２１に前記心材７が挿入されると共にこの心材７に上方から前記擬餌針本体９が挿入される。さらに、前記ワイヤ２１の上部に形成されたフック部１３Ａ、１３Ｂに枝糸用リング２７が取付けられる。そして、この枝釣り糸用リング２７に枝釣り糸２９の一端が結びつけられて、前記前記擬餌針１が構成されているものである。
【００１４】
前記心材７は蓄光材を混入した合成樹脂で形成されている。より詳細には、成形可能な合成樹脂としては、アクリル、透明ＡＢＣ、ポリカーボネイト（ＰＣ）、ポリプロピレン、ポリエチレン、ポリスチレンなどが使用される。また、それ以外の合成樹脂であっても構わない。そして、混入せしめる蓄光材とは、太陽や蛍光灯等の外部エネルギーを吸収し、光エネルギーとして放出（発光）する性質を物質であり、外見上は”光を一時的に蓄え発光する”ことから、蓄光という言葉が使われているのである。したがって、蓄光材は、吸収・発光は何回も繰り返し利用可能である。
【００１５】
しかも、今回使用される蓄光材は、青・緑系および黄緑系色発光の蓄光顔料で、化学式ではＳＶ２Ａｌ６Ｏ１１、ＳＶ２Ａｌ２０４として表され、比重はそれぞれ３．３、３．５であり、平均粒径は、１５μｍ、２０μｍ、４０μｍなどがあり、従来の蓄光顔料に比べて安価で、白色に近い輝きを持っており、非常に明るく残光時間も長いものである。さらに、詳細の特徴を述べれば、初期発光輝度は従来のものに比べて約３０〜５０％向上し、残光時間は従来のものに比べて長く、耐水性に非常に優れ、野外や水中でもその効果を充分に発揮し、さらに、耐熱性に優れ、７００℃でも使用可能で、耐候性に非常に優れ、野外でも長時間使用可能である。それ以外に、耐薬品性に優れ、励起する光が強いほど良く光り、励起しやすい弱い光でも良く光るものものである。
【００１６】
例えば各合成樹脂に蓄光材を混入したときの各特性の一例を示すと、表１のとおりである。
【００１７】
【表１】
0004977909.tif 000002
但し、試験条件は次のとおりである。
【００１８】
残光輝度  試    料・・・プレート状成型品（板厚２．７ｍｍｔ）
励起条件・・・Ｄ65常用光源  ４００ｌｘ、２０分照射
耐光性    試験条件・・・紫外線暴露、１０００時間
暴露条件・・・高圧水銀灯火、１５ｃｍ
ｗｅｔ雰囲気中、紫外線強度：９ｍＷ／ｃｍ２
耐熱性    試験条件・・・６０℃、乾燥空気中放置  １０００時間
耐水性    試験条件・・・４０℃、純水中浸漬
前記蓄光材の量が合成樹脂の量に対して５〜３０％の割合で混入されているものである。蓄光材の量が合成樹脂の量に対して５％未満であると、発光の程度か弱く、例えばイカを釣るときの光としてはかんばしくない。また、蓄光材の量が合成樹脂の量に対して３０％を越えると、発光の程度としては充分機能を果たすが、コスト的にみて高くつき採算的に合わないものである。したがって、好ましくは、１５％程度が非常に発光の程度およびコスト的にみて望ましいものである。なお、図３にはアクリル樹脂の量を１００とした場合、青・青緑色の蓄光材の量を５％、１０％、１５％含んだ心材７に対して輝度を測定した結果を示したものである。なお、照射条件はＤ６５蛍光灯：４００ｌｕｘ＊２０分で測定条件：トプコンＢｍ８にて照射停止後、経過時の輝度測定である。
【００１９】
この結果から充分イカ釣りの光として充分使用可能であることがわかる。
【００２０】
前記擬餌針本体９は中空紡錘形状からなると共に図４に示されているように、中央より上下部分の長さＬの外形断面が多角形例えば６角形で、しかも、着色された半透明から合成樹脂例えばアクリル、透明ＡＢＣ、ポリカーボネイト（ＰＣ）、ポリプロピレン、ポリエチレン、ポリスチレンなどが使用される。
【００２１】
したがって、図４において、心材７から発光された光は、擬餌針本体９へ向けて照射され、一部は擬餌針本体９を透過すると共に、ある一部は擬餌針本体９で反射されながら随時透過し、擬餌針本体９の外周部を立体的に発光し、全体的に明るく照らされることにより、イカがよってきて釣れることとなる。
【００２２】
したがって。前記心材７が蓄光材を混入した合成樹脂で形成されているから、材料費が高く付かず採算を取ることができ、しかも、擬餌針本体７の外面に衝撃を受けても損傷を受けずに保護せしめることができ、かつ、釣るときの光は従来と同等以上の充分な光量を照射せしめることができる。
【００２３】
また、前記蓄光材７の量が合成樹脂の量に対して５〜３０％の割合で混入されているから、より一層材料費が高く付かず採算を取ることができ、しかも、釣るときの光は従来と同等以上の充分な光量をより一層照射せしめることができる。
【００２４】
さらに、前記擬餌針本体９が中空紡錘形状からなると共に中央より上下部分の長さＬにおける外形断面が多角形例えば６角形で、しかも、着色された半透明からなっているから、蓄光材から照射された光は、擬餌針本体９の６角形における内面から乱反射されるので、擬餌針本体９で、立体的に発光し、全体的に明るくせしめることができる。しかも、擬餌針本体９の色を変えることにより、擬餌針本体９の色に合わせて、発光する色を種々得ることができる。
【００２５】
なお、この発明は前述した実施の形態に限定されることなく、適宜な変更を行うことによりその他の態様で実施し得るものである。前記実施の形態において、擬餌針本体９が中央より上下部分の長さＬにおける外形断面を多角形として例えば６角形で説明したが、８角形などそれ以外の多角形であってもかまわない。また、イカ釣り用の擬餌針として説明したが、イカ以外の光を好む魚にも適用可能である。
【００２６】
【発明の効果】
以上のごとき発明の実施の形態の説明から理解されるように、請求項１の発明によれば、前記心材が蓄光材を混入した合成樹脂で形成されているから、材料費が高く付かず採算を取ることができ、しかも、擬餌針本体の外面に衝撃を受けても損傷を受けずに保護せしめることができ、かつ、釣るときの光は従来と同等以上の充分な光量を照射せしめることができる。
【００２７】
請求項２の発明によれば、前記蓄光材の量が合成樹脂の量に対して５〜３０％の割合で混入されているから、より一層材料費が高く付かず採算を取ることができ、しかも、釣るときの光は従来と同等以上の充分な光量をより一層照射せしめることができる。
【００２８】
請求項３の発明によれば、前記擬餌針本体が中空紡錘形状からなると共に中央より上下部分の外形断面が多角形で、しかも、着色された半透明からなっているから、蓄光材から照射された光は、擬餌針本体の多角形における内面から乱反射されるので、擬餌針本体で、立体的に発光し、全体的に明るくせしめることができる。しかも、擬餌針本体９の色を変えることにより、擬餌針本体９の色に合わせて、発光する色を種々得ることができる。
【図面の簡単な説明】
【図１】  この発明の擬餌針の正面断面図を示すものである。
【図２】  この発明の擬餌針の各部品における正面図である。
【図３】  アクリル樹脂の量を１００とした場合、青・青緑色の蓄光材の量を５％、１０％、１５％含んだ心材７に対して輝度を測定した結果を示したものである。
【図４】    図１におけるＩＶ−ＩＶ線に沿った拡大断面図である。
【符号の説明】
１  擬餌針
３  釣り針
５  心棒
７  心材
９  擬餌本体
１１  リング
１３  ワイヤ
１５  ワッシャ
１７  釣り針用心材
１９  穴
２１  ワイヤ
２３  座
２５  擬餌本体用支持部材
２７  枝釣り糸用リング
２９  枝釣り糸
【図１】
0004977909.tif 000003
【図２】
0004977909.tif 000004
【図３】
0004977909.tif 000005
【図４】
0004977909.tif 000006